(57)【特許請求の範囲】
【請求項１】
接続する金属部材 (1)、(2) 相互の筒管(1´)、(2´)部分のなす接続端部附近に、それぞれ外方への環状突出壁 (3)、(3´)を設けてその先端部同士を互いに当接せしめ、更に該突出壁部に跨って樹脂製スリーブ(5) を敷設して被着した短寸状の比較的薄肉材からなる金属製スリーブ(4) の両側端部を、前記突出壁 (3)、(3´)部の背面において縮径して該突出壁部に掛着固定して構成したことを特徴とする細径金属筒管体相互の接続継手。
【請求項２】
接続する金属部材 (1)、(2) 相互の筒管(1´)、(2´)部分のなす接続端部附近に、それぞれ外方への環状突出壁 (3)、(3´)を設けてその先端部を互いに嵌合して一方の先端部を他方の環状突出壁附近に当接せしめ、更に該突出壁部に跨って樹脂製スリーブ(5) を敷設して被着した短寸状の比較的薄肉材からなる金属製スリーブ(4) の両側端部を、前記突出壁 (3)、(3´)部の背面において縮径して該突出壁部に掛着固定して構成したことを特徴とする細径金属筒管体相互の接続継手。
【請求項３】
前記環状突出壁 (3)、(3´)を突起、スプール、フレアまたは拡径となして形成したことを特徴とする請求項１または２記載の細径金属筒管体相互の接続継手。
【請求項４】
前記金属部材 (1)、(2) をアイジョイントと管体または管体相互となして形成したことを特徴とする請求項１または２記載の細径金属筒管体相互の接続継手。
【請求項５】
前記樹脂製スリーブ(5) を熱収縮性チューブとなして形成したことを特徴とする請求項１または２記載の細径金属筒管体相互の接続継手。
【発明の詳細な説明】
【０００１】
【産業上の利用分野】
本発明は、一般に自動車或いは各種の機械、装置等にあって、給油、給気等の供給路として配設される金属部材による管径２０ｍ／ｍ程度以下の比較的細径からなるアイジョイントのなす筒体と管体または管体相互の接続継手に関するものである。
【０００２】
【従来の技術】
従来、この種の接続継手としては例えば実開昭６３−１１５６８６号公報に示すように、長手方向の中央部にくびれ(15)を形成した内面にライニング被膜(12)を有する筒状の金属製パイプ継手(11)をもって、その両端より金属製パイプ(13)、(14)を挿入した状態で該パイプ継手の外側周面を加圧せしめ、パイプ継手(11)及びパイプ(13)、(14)部分を一体にカシメ(16)して結合せしめてなる接続継手のものであった。
【０００３】
【発明が解決しようとする課題】
しかしながら、このような従来の継手にあっては、パイプ(13)、(14)の接続端部のなす単に円管構造に関連した該パイプにまで及ぶ一体のカシメ構造によって、内部での流過抵抗を増して円滑な流れを阻害することとなり、また比較的厚肉材からなるパイプ継手(11)によりカシメ代を大となしてその作業性に低下を招き、更にパイプ継手(11)自体を長手方向への長寸にして且つ重量体となし、従って接続使用に際してアイジョイント等のなす短寸状の枝管による筒体での管体との接続を殆んど不可能となし、単に管体相互のパイプ継手としてその用途範囲の制限を余儀なくされる等の問題を有することとなった。
【０００４】
本発明は従来の有する前記問題に鑑みてなされたものであり、接続するそれぞれの筒管へのカシメ変形を及ぼすことなしに接続を行わしめ、従って内部での流体の流れを円滑となし、同時に両側端部での僅かな縮径代によって突出壁と効果的に掛着固定せしめることができ、更に、継手として軸芯方向に短寸にして且つ軽量構造となすと共に、接続部での径方向の剛性を柔らげ、更にその用途範囲を拡大することのできる接続継手を提供することを目的とするものである。
【０００５】
【課題を解決するための手段】
本発明は上記目的を達成するため、接続する金属部材相互の筒管部分のなす接続端部附近に、それぞれ外方への環状突出壁を設けてその先端部同士を互いに当接せしめ、更に該突出壁部に跨って樹脂製スリーブを敷設して被着した短寸状の比較的薄肉材からなる金属製スリーブの両側端部を、前記突出壁部の背面において縮径して該突出壁部に掛着固定して構成した細径金属筒管体相互の接続継手、または、接続する金属部材相互の筒管部分のなす接続端部附近に、それぞれ外方への環状突出壁を設けてその先端部を互いに嵌合して一方の先端部を他方の環状突出壁附近に当接せしめ、更に該突出壁部に跨って樹脂製スリーブを敷設して被着した短寸状の比較的薄肉材からなる金属製スリーブの両側端部を、前記突出壁部の背面において縮径して該突出壁部に掛着固定して構成した細径金属筒管体相互の接続継手を要旨とするものであり、更に前記環状突出壁を突起、スプール、フレアまたは拡径となして形成したり、更に前記金属部材をアイジョイントと管体または管体相互となして形成したり、また更に前記樹脂製スリーブを熱収縮性チューブとなして形成したりするものである。
【０００６】
【作用】
本発明はこのように構成されているため、特に接続端部附近に設けたそれぞれの環状突出壁と、樹脂製スリーブを介して該突出壁部に跨って被着した短寸状の比較的薄肉材からなる金属製スリーブによる両側端部での縮径により前記突出壁部に掛着固定せしめてなる構成とにより、該突出壁によってそれぞれの筒管へのカシメ変形を及ぼすことなしに、しかも僅かな縮径代によって効果的に前記掛着固定することができ、従って内部での流れを円滑となし、また、継手として軸芯方向に短寸にして且つ軽量構造となすと共に、接続部での径方向の剛性を柔らげ、更にその用途範囲を拡大することができることとなる。更に先端部同士を当接、または先端部を互いに嵌合して一方の先端部を他方の環状突出壁附近に当接せしめ、樹脂製スリーブを介して金属製スリーブによる両側端部での縮径によって金属部材に加わる引抜き力や押込み力に対する強度、即ち軸方向の力に対する強度を有するものである。
【０００７】
【実施例】
以下、本発明の実施例を図面に基づいて説明すれば、図１は本発明の細径金属筒管体相互の接続継手のアイジョイントと管体との接続状態を示す平面図、図２は図１Ａ−Ａ線の一部切欠き断面図、図３は他の実施例の管体相互の接続状態を示す接続継手の一部切欠き断面図、図４は更に他の実施例を示す図３相当図、図５はまた他の実施例を示す図３相当図、図６はまた更に他の実施例を示す図３相当図であって、(1) 及び(2) は接続する金属部材であり、アイジョイントのなす筒体と管体（図１）または管体相互（図３、図４、図５及び図６）をもってなるものである。そして筒管(1´)、(2´)のなす接続端部附近にそれぞれ外方への環状突出壁 (3)、(3´)を設けてその先端部の端面同士を互いに当接（図２、図３及び図６）するか、或いは先端部を互いに嵌合して一方の先端部を他方の環状突出壁附近に当接（図４、図５）せしめる。この際図４では内嵌する筒管(2´)の先端部の端面を環状突出壁(3) の内側と当接させるため環状突出壁(3) より外方へ延長する筒管(1´)の先端部分(1´a) の径は筒管(1´)の径よりやゝ大きく形成され、一方図５では外嵌する筒管(1´)の先端部分(1´a) を拡径してその端面を環状突出壁(3´)に当接させている。更に該突出壁部に跨って樹脂製スリーブ(5) を敷設した状態で肉厚２ｍ／ｍ程度以下の短寸状からなる比較的薄肉材による金属製スリーブ(4) を被着して、その両側端部を突出壁 (3)、(3´)部の背面で、例えばカシメ等により縮径して該突出壁部に掛着固定して構成するものである。
【０００８】
尚前記環状突出壁 (3)、(3´)としては突起（図２）、スプール（図３、図４）、フレア（図６）または拡径（図５）となして形成したり、また前記樹脂製スリーブ(5) をシール機能を兼ねて敷設した熱収縮性チューブによって形成してもよいことは勿論のことであり、更に図３のように金属製スリーブ(4) の両端部を更にカシメることによって耐圧性能は一層向上する。
【０００９】
【発明の効果】
以上説明したように本発明による細径金属筒管体相互の接続継手は、特に接続する筒管(1´)、(2´)部分での前記環状突出壁 (3)、(3´)と、該突出壁部に跨って樹脂製スリーブ(5) を介して被着した短寸状の比較的薄肉材からなる金属製スリーブ(4) の両側端部での縮径による突出壁 (3)、(3´)部に掛着固定せしめた構成とにより、それぞれの筒管(1´)、(2´)へのカシメ変形を及ぼすことなく、しかも僅かな縮径代によって突出壁 (3)、(3´)と効果的に掛着固定することができ、従って内部での流体の流れを円滑となす結果となり、更に、継手として軸芯方向に短寸にして且つ軽量構造となすと共に、接続部での径方向の剛性を柔らげ、また軸方向に対する充分な強度を有し、更にその用途範囲を拡大することができる等、極めて有用な細径金属筒管体相互の接続継手である。
【図面の簡単な説明】
【図１】本発明の実施例に係る細径金属筒管体相互の接続継手のアイジョイントのなす筒体と管体との接続状態を示す平面図である。
【図２】図１Ａ−Ａ線の一部切欠き断面図である。
【図３】他の実施例の管体相互の接続状態を示す接続継手の一部切欠き断面図である。
【図４】更に他の実施例を示す図３相当図である。
【図５】また他の実施例を示す図３相当図である。
【図６】また更に他の実施例を示す図３相当図である。
【図７】従来例の接続継手の接続状態を示す一部切欠き断面図である。
【符号の説明】
１、２  金属部材
１′、２′  筒管
１′ａ  先端部分
３、３′  環状突出壁
４  金属製スリーブ
５  樹脂製スリーブ
【図１】
0003656915.tif 000002
【図２】
0003656915.tif 000003
【図３】
0003656915.tif 000004
【図４】
0003656915.tif 000005
【図５】
0003656915.tif 000006
【図６】
0003656915.tif 000007
【図７】
0003656915.tif 000008